(57)【要約】【課題】セキュリティの観点から決済端末登録情報の登録や変更といった業務はユーザーへは開放されておらず、保守員による対応が必要となる。このため決済端末ではＰＯＳシステムなどで行われている担当者の登録や、伝票印字メッセージの変更などのユーザーに開放されたサービスを提供しにくいという課題を有していた。【解決手段】本発明の情報登録システムは、上記課題を解決するために、決済端末１と情報処理サーバー３に加え、通信ネットワークを経由してデータの入力を行う情報入力端末２を備えている。そして、この構成によりユーザーは情報処理サーバーに接続して情報入力端末から決済端末の設定情報を登録し、本登録情報を決済端末にダウンロードすることで登録情報を設定・変更する。【選択図】図１
2005157433.tif 000002
【特許請求の範囲】
【請求項１】
通信ネットワークに接続可能であり決済端末に関する決済端末登録情報を入力可能な情報入力端末と、
前記情報入力端末により入力された前記決済端末登録情報を前記通信ネットワークを介して受信して記憶し、決済端末からの要求に基づいて前記決済端末登録情報を前記決済端末に送信するサーバーと、前記通信ネットワークを介して前記決済端末登録情報を前記サーバーに要求し、前記サーバーから取得した前記決済端末登録情報を登録する決済端末と
からなる決済端末の情報登録システム。
【請求項２】
サーバーに決済端末登録情報が登録されたことを前記サーバーから情報入力端末に通知する請求項１記載の決済端末の情報登録システム。
【請求項３】
サーバーに決済端末登録情報が登録されたことを前記サーバーから情報入力端末に電子メールで通知する請求項２記載の決済端末の情報登録システム。
【請求項４】
決済端末に決済端末登録情報が登録されたことを前記サーバーから情報入力端末に通知する請求項１記載の決済端末の情報登録システム。
【請求項５】
決済端末に決済端末登録情報が登録されたことを前記サーバーから情報入力端末に電子メールで通知する請求項４記載の決済端末の情報登録システム。
【請求項６】
情報入力端末に決済端末登録情報を入力するステップと、前記決済端末登録情報を通信ネットワークを介してサーバーに送信するステップと、前記サーバーが前記決済端末登録情報を記憶するステップと、決済端末が前記通信ネットワークを介して前記決済端末登録情報を前記サーバーに要求するステップと、前記サーバーが前記通信ネットワークを介して前記決済端末登録情報を前記決済端末に送信するステップと、前記決済端末が前記サーバーからの前記決済端末登録情報を取得して登録するステップとからなる決済端末の情報登録方法。
【請求項７】
情報入力端末に決済端末登録情報を入力するステップと、前記決済端末登録情報を通信ネットワークを介して前記情報入力端末からサーバーに送信するステップと、前記サーバーが前記決済端末登録情報を記憶するステップと、前記サーバーが前記決済端末登録情報を登録したことを前記情報入力端末に電子メールで通知するステップと、決済端末が前記通信ネットワークを介して前記決済端末登録情報を前記サーバーに要求するステップと、前記サーバーが前記通信ネットワークを介して前記決済端末登録情報を前記決済端末に送信するステップと、前記決済端末が前記サーバーからの前記決済端末登録情報を取得して登録するステップとからなる決済端末の情報登録方法。
【請求項８】
情報入力端末に決済端末登録情報を入力するステップと、前記決済端末登録情報を通信ネットワークを介して前記情報入力端末からサーバーに送信するステップと、前記サーバーが前記決済端末登録情報を記憶するステップと、決済端末が前記通信ネットワークを介して前記決済端末登録情報を前記サーバーに要求するステップと、前記サーバーが前記通信ネットワークを介して前記決済端末登録情報を前記決済端末に送信するステップと、前記決済端末が前記サーバーからの前記決済端末登録情報を取得して登録するステップと、前記決済端末が前記決済端末登録情報を登録したことを前記サーバーに通知するステップと、前記サーバーが前記決済端末が前記決済端末登録情報を登録したことを前記情報入力端末に電子メールで通知するステップとからなる決済端末の情報登録方法。
【発明の詳細な説明】
【技術分野】
【０００１】
本発明は公衆回線等による通信機能を有した決済端末に関するものである。
【背景技術】
【０００２】
近年、従来からのクレジットカードによる決済に加え、デビットカードによる決済など、様々な決済方式が登場し、これらの決済手段を利用するための端末が様々な分野へと広がっている。このため、決済端末の設定として、ユーザー側で伝票印字など決済端末の動作に直接影響がない範囲の設定変更を、自由に行えることが要望されている。
【０００３】
従来の決済端末の情報登録システムでは、設置時に登録した情報を決済端末にダウンロードしており、設置以降特別な申請がない限り、この情報は設置当初の内容で固定される。
【０００４】
また、登録情報を記録媒体に記憶させ、保守員によりこの記憶媒体を介して決済端末へ登録情報を登録するものも知られている（例えば特許文献１参照）。
【０００５】
図４は上記従来の情報登録システムを示しており、１は決済端末、３は情報処理サーバーで、４は通信ネットワークである。
【０００６】
以上のように構成された情報登録システムについて、その動作を説明する。
【０００７】
予め決済端末１の設置申し込み時にユーザーの登録情報を聞いておき、その内容を情報処理サーバー３に登録しておく。設置時に保守員が決済端末を操作し、情報処理サーバー３に通信ネットワーク４を介して接続する。情報処理サーバー３は決済端末１からのアクセスにより、あらかじめ登録しておいた情報を決済端末１に送信し、この登録情報を受信した決済端末１は、登録情報を記憶部に記憶して決済処理等に利用する。
【特許文献１】特開２００１−１８４３１２号公報
【発明の開示】
【発明が解決しようとする課題】
【０００８】
しかし、従来の情報登録システムは、基本的に決済端末の登録情報を設置時に固定してしまうとともに、セキュリティの観点から決済端末登録情報の登録や変更といった業務はユーザーへは開放されておらず、保守員による対応が必要となる。このため、決済端末１では、ＰＯＳシステムなどで行われている担当者の登録や、伝票印字メッセージの変更などといったユーザーに開放されたサービスを提供しにくいという課題を有していた。
【０００９】
本発明は、現行のシステムを有効利用し、決済端末１のセキュリティを確保したまま、ユーザーが自由に情報の登録や変更等を行う機能を有する情報登録システムを提供することを目的とする。
【課題を解決するための手段】
【００１０】
本発明の情報登録システムは、上記課題を解決するために、情報処理サーバーと決済端末に加え、インターネットなどのネットワークを経由してデータの入力を行う情報入力端末を備えている。そして、この構成によりユーザーは情報処理サーバーに接続して情報入力端末から決済端末の設定情報を登録し、この登録情報を情報処理サーバーから決済端末にダウンロードすることで登録情報の設定や変更等を行う。
【発明の効果】
【００１１】
以上のように、本発明は、通信ネットワークに接続可能で決済端末の決済端末登録情報を入力可能な情報入力端末より決済端末登録情報を入力し、前記情報入力端末により入力された前記決済端末登録情報を前記通信ネットワークを介して受信して送信するサーバーに記憶させ、決済端末からの要求に基づいて前記決済端末登録情報を前記決済端末にダウンロードすることにより、ユーザーによる決済端末情報の登録を実施することができる。
【発明を実施するための最良の形態】
【００１２】
（実施の形態１）
以下、本発明の決済端末の情報登録システムについて、図１から図３を用いて説明する。
【００１３】
図１において、店舗５側の構成として、１は通信ネットワーク４を利用してサーバー３に接続可能であり、クレジットなどの決済処理を行う決済端末、２は通信ネットワーク４に接続可能であり、決済端末１の登録情報等を入力するための情報入力端末を示す。なお、この情報入力端末２としては、店舗５に設置されているパーソナルコンピュータや、ｉモードなどのセンタ側情報をブラウジングできる機能や情報入力を行える機能を有した携帯電話等を用いる。
【００１４】
また、センタ６側の構成として、３は情報入力端末２からの決済端末１の登録情報を受信して記憶し、この登録情報を決済端末１へ送信するサーバー３を示す。４は決済端末１および情報入力端末２とサーバー３とが接続される通信ネットワークである。なお、サーバー３は、情報入力端末２からの入力された決済端末１の登録情報を受信するものと、入力された情報を決済端末１へ送信するものとを別とする２つのサーバーからなるようにしてもよく、このようにすることで、決済端末１は登録情報を送信するサーバーは直接情報入力端末２からアクセスされることはないので、システムのセキュリティを高めることができる。
【００１５】
以上のように構成された決済端末の情報登録システムについて、その動作を説明する。
【００１６】
まず、図２を用いて、決済端末１の登録情報を情報入力端末２からサーバー３へ登録する手順について説明する。
【００１７】
図２は決済端末１の登録情報を情報入力端末２からサーバー３へ登録する手順を示す流れ図あり、情報入力端末２の処理の流れと、サーバー３の処理の流れを示している。
【００１８】
まず、ユーザーは情報入力端末２から通信ネットワーク４を介してサーバー３に接続する（Ｓ１０１）。
【００１９】
次に、情報入力端末２に端末番号などの決済端末１を識別するためのＩＤとあらかじめ登録されているパスワード等の認証情報を入力し（Ｓ１０２）、この認証情報を情報入力端末２からサーバー３へ送信する（Ｓ１０３）。情報入力端末２から認証情報を受信した（Ｓ１０４）サーバー３はあらかじめ登録されているユーザや決済端末１の情報をもとに決済端末１とユーザーを特定し、認証情報に基づいてユーザーの認証を行う（Ｓ１０５）。認証が終了した後（Ｓ１０６）、認証結果を情報入力端末２へ送信する（Ｓ１０７，Ｓ１０８）。そして、認証が正常に終了していない場合にはサーバー３は端末情報の登録業務を終了する。
【００２０】
また、サーバー３から認証結果を受信した（Ｓ１０９）情報入力端末２は、認証が正常終了しているかどうかを判定し（Ｓ１１０）、認証が失敗している場合には決済端末情報の登録業務を終了する。認証が正常終了している場合には、決済端末の登録情報の入力を行い（Ｓ１１１）、入力終了後、この情報をサーバー３へ送信する（Ｓ１１２）。
【００２１】
また、情報入力端末２から登録情報を受信した（Ｓ１１３）サーバー３は、登録情報を格納するデータベースへこの情報を格納し（Ｓ１１４）、格納終了とともに登録完了通知を電子メールによりユーザーが有する情報入力端末２へ送信する（Ｓ１１５）。
【００２２】
なお、登録完了通知には、入力された登録内容を記載してもよい。そして、このように、サーバー３に登録した内容をユーザーに送信することでユーザーでの再確認ができるとともに、なりすましなどによる不正な情報が登録されていないかを確認することができる。
【００２３】
なお、情報入力端末２を用いて行う登録情報の入力に関しては、サーバー３から登録可能な内容に関する情報を情報入力端末２を有するユーザーへ提供し、ユーザーは提供された入力項目について、情報入力端末２から決済端末登録情報の入力を行うようにしてもよい。なお、このときあらかじめサーバーに登録している決済端末１のバージョン情報、または情報入力端末２から送信される決済端末１のバージョン情報を使用し、決済端末１のバージョン情報に応じて入力項目を変更する機能をサーバー３に持たせることで、決済端末１のバージョンによる入力項目の変更をサーバー３側で行うことができ、決済端末１への新たな機能追加にも柔軟に対応することができる。
【００２４】
次に、図３を用いて、情報入力端末２から入力されサーバー３に登録された情報を決済端末１が取得する手順について説明する。
【００２５】
図３は情報入力端末２から入力されサーバー３に登録された情報を決済端末１が取得する手順を示した流れ図であり、決済端末１の処理の流れと、サーバー３の処理の流れを示している。
【００２６】
まず、サーバー３への決済端末の登録情報の登録完了の通知を受けたユーザーは、決済端末１を操作して情報の登録を行ったサーバー３へ接続し（Ｓ２０１）、決済端末１に関する端末番号等の認証情報をサーバー３へ送信する（Ｓ２０２）。
【００２７】
次に、この認証情報を受信した（Ｓ２０３）サーバー３は、認証情報を検証し（Ｓ２０４）、認証が正常に終了した場合にはその決済端末１に関する登録情報を決済端末１へ送信し（Ｓ２０５，Ｓ２０６）、認証に失敗した場合には、認証に失敗したことを決済端末１へ送信し処理を終了する（Ｓ２０７）。
【００２８】
次に、サーバー３から認証結果を受信した（Ｓ２０８）決済端末１は、認証結果を確認し（Ｓ２０９）、認証が正常終了していた場合には、サーバー３から取得した登録情報をメ記憶部へ格納／展開し（Ｓ２１０）、この登録情報を以後の決済処理に利用する。また、認証が失敗していた場合には、処理を終了する。
【００２９】
以上のように、情報入力端末２からサーバー３へ決済端末１の登録情報を送信、登録することで、現在の決済端末への登録情報をダウンロードする機能をそのまま利用して、ユーザー独自で登録情報を登録することができる。
【００３０】
また、決済端末１では、現状の通信インフラと通信プロコルとを使用することにより、新たな外部インタフェースを用意することなく利用でき、新たな接続ケーブルなどのインフラを必要としないなど、決済端末１への変更を最小限にとどめることができ、開発コストを押さえることができるとともに、決済端末１のセキュリティを保つことができる。
【００３１】
また、情報入力端末２として一般的に普及するコンピュータとインターネットのブラウジング可能なブラウザ、およびインターネット接続環境を利用することで、ＯＳの種類、バージョンに依存することなく動作が可能であるとともに、専用のツールを作成／配布する必要がなくシステムを安価に構成することができる。
【００３２】
また、入力可能な決済端末登録情報をサーバー３で管理することで、入力項目に変更が入った場合でもサーバー３側の修正のみで済み、情報入力端末２への影響を最小限に押さえることができ、バージョンアップ等の保守運用コストを削減できる。
【００３３】
また、電子メールを利用することで、自動でユーザーへ登録の完了を通知することができるとともに、登録完了時点で電子メールを送信することで、ユーザーが決済端末へのデータ反映を短期間にて行うことができる。また、端末情報変更受付終了とその変更内容を予め登録しておいた電子メールアドレスへ送信することで、成りすましによる不正な登録情報改変を事前に防ぐことができる。
【００３４】
なお、サーバー３は、サーバー３に登録されている決済端末の登録情報が決済端末１にダウンロードされて登録された旨の通知を決済端末１から受信し、この決済端末１に登録情報が登録されたことを電子メールにより情報入力端末２に通知するようにしても良い。
【産業上の利用可能性】
【００３５】
本発明の決済端末の情報登録システムは、通信ネットワークに接続可能で決済端末の決済端末登録情報を入力可能な情報入力端末より決済端末登録情報を入力し、前記情報入力端末により入力された前記決済端末登録情報を前記通信ネットワークを介して受信して送信するサーバーに記憶させ、決済端末からの要求に基づいて前記決済端末登録情報を前記決済端末にダウンロードすることにより、ユーザーによる決済端末情報の登録を実施することができ、セキュリティが重要な決済端末等を使用するシステム等として産業上有用である。
【図面の簡単な説明】
【００３６】
【図１】本発明の情報登録システムの実施の形態１における全体構成を示す図
【図２】情報入力端末からの入力業務の流れを示す図
【図３】決済端末からの登録情報取得業務の流れを示す図
【図４】従来の情報登録システムにおける全体構成を示す図
【符号の説明】
【００３７】
１  決済端末
２  情報入力端末
３  サーバー
４  通信ネットワーク
５  店舗
６  センタ
【図１】
2005157433.tif 000003
【図２】
2005157433.tif 000004
【図３】
2005157433.tif 000005
【図４】
2005157433.tif 000006